(57)【要約】【課題】部品点数が削減された携帯装置を提供できる。【解決手段】第１筐体と、アンテナ、表示機、前記表示機の正面側に位置する樹脂製の額縁、前記表示機の背面側に位置するカバー、を含む第２筐体と、前記第１筐体を前記第２筐体の１辺に沿った軸周りに相対回転可能に連結するヒンジ機構と、を備え、前記カバーは、前記ヒンジ機構に固定され前記表示機の背面を覆う金属部、前記１辺側に設けられ前記金属部から部分的に露出し前記金属部と前記ヒンジ機構との間に挟まれて保持され樹脂部、を含み、前記アンテナは、前記金属部から退避し前記額縁と前記樹脂部との間に位置する、携帯装置。【選択図】図５
2014029626.tif 000002
【特許請求の範囲】
【請求項１】
第１筐体と、
アンテナ、表示機、前記表示機の正面側に位置する樹脂製の額縁、前記表示機の背面側に位置するカバー、を含む第２筐体と、
前記第１筐体を前記第２筐体の１辺に沿った軸心周りに相対回転可能に連結するヒンジ機構と、を備え、
前記カバーは、前記ヒンジ機構に固定され前記表示機の背面を覆う金属部、前記１辺側に設けられ前記金属部から部分的に露出し前記金属部と前記ヒンジ機構との間に挟まれて保持され樹脂部、を含み、
前記アンテナは、前記金属部から退避し前記額縁と前記樹脂部との間に位置する、携帯装置。
【請求項２】
前記金属部には、前記ヒンジ機構が固定された突状のボス部が形成され、
前記樹脂部は、前記ボス部が貫通した孔を含み、前記ボス部からはみ出した前記ヒンジ機構の部分と前記金属部との間に挟まれている、請求項１の携帯装置。
【請求項３】
前記第１筐体は、操作部が設けられた第１面、前記第１面に対向する第２面、を含み、
前記ヒンジ機構の軸心は、前記第１及び第２面の間に位置している、請求項１又は２の携帯装置。
【請求項４】
前記ボス部が貫通した孔を含み前記金属部及び樹脂部を接着する両面テープを備えた、請求項１乃至３の何れかの携帯装置。
【発明の詳細な説明】
【技術分野】
【０００１】
本発明は、携帯装置に関する。
【背景技術】
【０００２】
ヒンジ機構によって相対回転可能に連結された第１及び第２筐体を備えた携帯装置がある。例えば、第２筐体は表示機を備え、第２筐体の下辺に沿った軸周りに第１筐体が回転可能に連結され、第２筐体の上辺側にアンテナが収納されている場合がある。特許文献１〜３には、携帯装置に関する技術が開示されている。
【先行技術文献】
【特許文献】
【０００３】
【特許文献１】特開２０１１‐１３４２８１号公報
【特許文献２】特開２００９‐４２５７４号公報
【特許文献３】特開２０１０−５５３６１号公報
【発明の概要】
【発明が解決しようとする課題】
【０００４】
第２筐体は、表示機の正面側に配置され表示機の縁を覆う額縁と、表示機の背面側に配置されるカバーとを含む。このカバーは、表示機の背面を覆う金属製カバーと、金属性カバーの上辺側に固定された樹脂製カバーとが含まれる。また、表示機の正面側にある額縁も樹脂製である。アンテナは第２筐体の上辺に収納される。即ち、アンテナは樹脂製の額縁と樹脂製カバーとの間で保持される。これにより、アンテナの通信が確保される。
【０００５】
デザイン性等を考慮して額縁の幅を狭くする場合がある。アンテナが第２筐体の上辺側に収納されていると、額縁の上辺の幅を狭くするのには一定の限界が生じる。そこで、アンテナを第２筐体の下辺側に収納することが考えられる。ユーザにとっては、第２筐体の上辺側は視認しやすいが下辺側は視認しにくいからである。このため、額縁の下辺の幅が狭くなくてもユーザにより認識される第２筐体のデザイン性への影響を抑制できる。
【０００６】
アンテナを下辺側に配置する場合、アンテナの通信を確保するために、金属性カバーの下辺側に樹脂製カバーを固定する必要がある。この際に、金属性カバーと樹脂製カバーとをネジ等により固定すると部品点数が増大する。
【０００７】
本発明は、部品点数が削減された携帯装置を提供することを目的とする。
【課題を解決するための手段】
【０００８】
本明細書に開示された携帯装置は、第１筐体と、アンテナ、表示機、前記表示機の正面側に位置する樹脂製の額縁、前記表示機の背面側に位置するカバー、を含む第２筐体と、前記第１筐体を前記第２筐体の１辺に沿った軸周りに相対回転可能に連結するヒンジ機構と、を備え、前記カバーは、前記ヒンジ機構に固定され前記表示機の背面を覆う金属部、前記１辺側に設けられ前記金属部から部分的に露出し前記金属部と前記ヒンジ機構との間に挟まれて保持され樹脂部、を含み、前記アンテナは、前記金属部から退避し前記額縁と前記樹脂部との間に位置する。
【発明の効果】
【０００９】
部品点数が削減された携帯装置を提供できる。
【図面の簡単な説明】
【００１０】
【図１】図１は、本実施例のノート型コンピュータの説明図である。
【図２】図２は、正面から見た場合の筐体の説明図である。
【図３】図３は、背面から見た場合の筐体の説明図である。
【図４】図４は、筐体の分解斜視図である。
【図５】図５は、図４のヒンジ周辺の拡大図である。
【図６】図６は、図４のヒンジ周辺の拡大図である。
【図７】図７は、図２のＡ−Ａ断面図である。
【図８】図８は、図２のＢ−Ｂ断面図である。
【図９】図９は、筐体の額縁の視認性の説明図である。
【図１０】図１０は、図９の部分拡大図である。
【発明を実施するための形態】
【００１１】
ノート型コンピュータを携帯装置の一例として説明する。図１は、本実施例のノート型コンピュータ１の説明図である。ノート型コンピュータ１は、筐体１０、２０を有している。筐体１０、２０は、後述するヒンジ８０により軸心Ａ周りに相対回転可能に連結されている。筐体１０、２０はそれぞれ第１及び第２筐体の一例である。ヒンジ８０は、ヒンジ機構の一例である。筐体１０は、上面１１、上面１１と対向し後述する底面１２、を含む。筐体１０は、略矩形状であり、辺１３〜１６を含む。辺１３、１４は対向し平行である。辺１５、１６は対向し平行である。辺１３、１４のそれぞれは、辺１５、１６のそれぞれに直交する。各辺１３、１４は、各辺１５、１６よりも長い。
【００１２】
上面１１には、ノート型コンピュータ１を操作するためのキーボードＫ、タッチパッドＴが設けられている。キーボードＫ、タッチパッドＴは、操作部の一例である。筐体１０内には、ノート型コンピュータ１の動作全体を制御するためのマザーボードが収納されている。軸心Ａは辺１３に沿っている。
【００１３】
筐体２０は、正面２１、正面２１と対向し後述する背面２２を含む。筐体２０は、ディスプレイＤを保持している。ディスプレイＤは、表示機の一例である。正面２１にはディスプレイＤの画面ＤＰが露出している。筐体２０は、略矩形状であり、辺２３〜２６を含む。辺２３、２４は対向し平行である。辺２５、２６は対向し平行である。辺２３、２４のそれぞれは、辺２５、２６のそれぞれに直交する。各辺２３、２４は、各辺２５、２６よりも長い。図１に示すように、筐体１０から筐体２０を開いた状態においては、辺２４は上辺に相当し辺２３は下辺に相当する。軸心Ａは、辺２３に沿っている。換言すれば、軸心Ａは、筐体１０、２０が開いた状態で互いに対向する辺１３、２３に沿っている。筐体２０の辺２３側には、２つのアンテナＡＴが収納されている。辺２３は、第２筐体の１辺の一例である。
【００１４】
図２は、正面２１から見た場合の筐体２０の説明図である。図３は、背面２２から見た場合の筐体２０の説明図である。筐体２０は、額縁３０、金属カバー４０、樹脂カバー５０を含む。図２に示すように、額縁３０は、合成樹脂製であり、ディスプレイＤの外周の縁を覆うと共に正面２１側に位置する。額縁３０は、それぞれ辺２３〜２６の幅Ｗ３３〜Ｗ３６が設定されている。幅Ｗ３６３３が最も大きい。
【００１５】
図３に示すように、金属カバー４０、樹脂カバー５０は、ディスプレイＤの背面側に位置する。金属カバー４０、樹脂カバー５０は、カバーの一例である。金属カバー４０は、金属製であり、ディスプレイＤの背面を覆う。額縁３０は、金属カバー４０に固定されている。樹脂カバー５０は、合成樹脂製であり、辺２３に沿うように延びて辺２３側に配置されている。金属カバー４０、樹脂カバー５０は、共同で筐体２０の背面２２を画定する。詳しくは後述するが、樹脂カバー５０は金属カバー４０の下側から部分的に露出している。
【００１６】
金属カバー４０が金属製である理由は、重量のあるディスプレイＤを保持するためにある程度の強度が必要であること、ディスプレイＤに影響を与えるおそれがある外部からの電波的なノイズを遮断すること等である。図２、３に示すように、アンテナＡＴは、金属カバー４０から退避して額縁３０と樹脂カバー５０との間に位置している。換言すれば、アンテナＡＴは、金属カバー４０から露出した樹脂カバー５０の部分と額縁３０との間に位置する。従って、アンテナＡＴは、金属性の金属カバー４０から退避して樹脂製の額縁３０、樹脂カバー５０との間で保持されているため、送受信の精度や感度が確保されている。
【００１７】
図４は、筐体２０の分解斜視図である。図４においては、額縁３０は示していない。ヒンジ８０は、２つ設けられている。ディスプレイＤは、金属カバー４０により保持されている。ディスプレイＤは、ディスプレイＤに組み付けられる他の部材を介して金属カバー４０に保持されていてもよいし、直接金属カバー４０に保持されていてもよい。
【００１８】
図５、６は、図４のヒンジ８０周辺の拡大図である。ヒンジ８０は、揺動片８１、８２、軸８８を含む。揺動片８１、８２は軸８８の両端部にそれぞれ回転可能に連結されている。揺動片８１、８２は、それぞれ筐体１０、２０側に固定される。揺動片８２の先端部には、固定部８４が形成されている。固定部８４は略平板状であり、２つの貫通孔ＰＨが形成されている。２つのネジＳがそれぞれ貫通孔ＰＨに貫通して固定部８４が金属カバー４０に固定される。これにより、揺動片８２が金属カバー４０に固定される。同様に、揺動片８１の先端部に形成された固定部８３にも２つの貫通孔ＰＨが形成されて、ネジがこの２つの貫通孔ＰＨを貫通して揺動片８１が筐体１０側に固定される。尚、貫通孔ＰＨの数は１つであってもよいし、３つ以上であってもよい。
【００１９】
金属カバー４０の内面には、内面から突出した突状の２つのボス部４４が形成されている。２つのボス部４４にはそれぞれネジ穴ＳＨが形成されている。貫通孔ＰＨを貫通したネジＳがネジ穴ＳＨに螺合することにより、揺動片８２が金属カバー４０に固定される。
【００２０】
樹脂カバー５０には固定部８４を逃すための長孔状の逃げ孔５４が形成されている。逃げ孔５４がボス部４４に嵌合するようにして樹脂カバー５０が金属カバー４０に組み付けられた状態で固定部８４がボス部４４に固定される。また、樹脂カバー５０と金属カバー４０との重なる部分は両面テープＰにより両者が接着される。尚、金属カバー４０、樹脂カバー５０は、例えば両面テープ以外の接着剤等によって接着してもよい。両面テープＰにもボス部４４を逃すための長孔状の逃げ孔Ｐ４が形成されている。尚、金属カバー４０の内面には係合部４２が形成され、樹脂カバー５０の端部には係合部５２が形成されている。係合部４２、５２は、樹脂カバー５０を金属カバー４０に組付けた際に互いに係合する。
【００２１】
図７は、図２のＡ−Ａ断面図である。図８は、図２のＢ−Ｂ断面図である。図７、８は、組立後での筐体２０の部分断面を示している。尚、図７には、ヒンジ８０を覆うヒンジカバー９０を示している。図７、８に示した点線で囲った円Ｒに示すように、樹脂カバー５０は、金属カバー４０の内面と揺動片８２の固定部８４との間で挟まれるようにして保持されている。詳細には、ボス部４４からはみ出した固定部８４が、金属カバー４０との内面との間で樹脂カバー５０を保持している。
【００２２】
例えば樹脂カバー５０をネジやその他の部材を使用して金属カバー４０に固定する場合、部品点数が増える。本実施例では、金属カバー４０と金属カバー４０に固定されるヒンジ８０とを利用して樹脂カバー５０を金属カバー４０に固定する。これにより部品点数が削減されている。
【００２３】
また、樹脂カバー５０は、ボス部４４の先端面と固定部８４との間で保持されているわけではなく、樹脂カバー５０にはボス部４４を逃す逃げ孔５４が形成されて金属カバー４０と固定部８４との間で保持される。このため、ボス部４４の先端面と固定部８４との間で樹脂カバー５０を挟んで保持する場合と比較して、本実施例では筐体２０の全体の厚みが抑制されている。
【００２４】
また、アンテナＡＴが辺２３側に配置されることにより、筐体１０側のアンテナＡＴとを接続するケーブルの長さを縮小できる。これにより、ケーブルの配線作業を容易にすることができ、また、ケーブルのコストを抑制できる。
【００２５】
金属カバー４０に樹脂カバー５０を組付ける際には、ボス部４４が逃げ孔５４内に挿入されるようにして組付けられる。このため、金属カバー４０に対する樹脂カバー５０の位置を容易に規定することができる。また、両面テープＰを金属カバー４０に貼り付ける際にも、ボス部４４が両面テープＰの逃げ孔Ｐ４内に挿入されるようにして貼り付けされる。これにより金属カバー４０に対する両面テープＰの位置も容易に規定することができる。このように、組立の作業性も向上している。
【００２６】
また、図５、６、８、９に示すように、２つのボス部４４は、金属カバー４０の辺２３の長手方向に並んでいる。このため、金属カバー４０の長手方向に延びた面積を有効利用できる。
【００２７】
また、ネジＳのみならず両面テープＰにより金属カバー４０、樹脂カバー５０が接着されるので、より強固に樹脂カバー５０を金属カバー４０に固定することができる。また、樹脂カバー５０は両面テープでの接着だけでなく、ヒンジ８０によっても金属カバー４０へ抑えられているため両面テープのみに比べ接着強度が増す。筐体１０、２０の開閉においてはヒンジ８０付近に負荷がかかり、その樹脂カバー５０部分をヒンジ８０で抑えることで、開閉時での樹脂カバー５０、両面テープＰにかかる負荷が軽減される。
【００２８】
次に、ノート型コンピュータ１の一般的な使用態様での筐体２０の額縁３０の視認性について説明する。図９は、筐体２０の額縁３０の視認性の説明図である。図１０は、図９の部分拡大図である。一般的にユーザがノート型コンピュータ１を使用する場合、ユーザの視点ＶＰは装置底面から高さ４５ｃｍ、装置手前側から２５ｃｍの位置にあると想定している。この場合、ユーザの視線は筐体２０の辺２４側には行きやすいが、辺２３側には行きにくいと考えられる。更に本実施例の場合、筐体２０が筐体１０から開いた状態でユーザの視点ＶＰから筐体２０を見た場合、筐体２０の大部分は視認可能な領域ＶＡである。しかしながら、辺２３側であり筐体１０により隠れている筐体２０の部分は視認困難な領域ＮＶＡとなる。
【００２９】
このため、辺２４側の額縁３０の幅Ｗ３４の増大はユーザに認識されやすいが、辺２３側の額縁３０の幅Ｗ３３の増大はユーザは認識しにくいと考えられる。従って、アンテナＡＴをユーザが視認しにくい辺２３側に配置することにより、ユーザが視認しやすい辺２４側の額縁３０の幅Ｗ３４を狭くできる。また、アンテナＡＴを辺２３側に配置することにより幅Ｗ３３が増大したとしても上記理由によりユーザには認識されにくい。これにより筐体２０のデザイン性が向上している。
【００３０】
本実施例において筐体２０に領域ＮＶＡが存在する理由は、ヒンジ８０の回転中心となる軸心Ａが筐体１０の厚み内、詳細には筐体１０の上面１１と底面１２の間に位置しているからである。このため、筐体１０から筐体２０を開いた状態で筐体１０により筐体２０の辺２３側が見え難くなるからである。尚、上面１１は、操作部が設けられた第１面の一例である。底面１２は第１面に対向する第２面の一例である。
【００３１】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３２】
携帯装置は、ノート型コンピュータに限定されずに携帯可能なものであればよく、携帯電話、携帯テレビ、電子辞書、ＰＤＡ、ゲーム機、カメラ、音楽プレイヤ、ナビゲーション装置であってもよい。
【００３３】
筐体１０の上面１１に設けられた操作部は、例えばタッチパネルやトラックボールやそのほかボタンやスイッチであってもよい。
【００３４】
本実施例においては、ヒンジ８０の軸心Ａは、筐体１０の上面１１、底面１２の間に位置するがこれに限定されない。例えば、筐体１０の上面１１よりも上部にヒンジの軸心があってもよい。このような場合においても、図９、１０に示したように一般的な使用態様においては、ユーザは辺２３側よりも辺２４側のほうが視認しやすいからである。
【符号の説明】
【００３５】
１  ノート型コンピュータ（携帯装置）
１０、２０  筐体（第１、第２筐体）
２３  辺
３０  額縁
４０  金属カバー（カバー、金属部）
４４  ボス部
５０  樹脂カバー（カバー、樹脂部）
５４  逃げ孔（孔）
８０  ヒンジ
８１、８２  揺動片
８３、８４  固定部
８８  軸
ＡＴ  アンテナ
Ｄ  ディスプレイ（表示機）
Ｐ  両面テープ
Ｋ  キーボード
Ｔ  タッチパッド
【図１】
2014029626.tif 000003
【図２】
2014029626.tif 000004
【図３】
2014029626.tif 000005
【図４】
2014029626.tif 000006
【図５】
2014029626.tif 000007
【図６】
2014029626.tif 000008
【図７】
2014029626.tif 000009
【図８】
2014029626.tif 000010
【図９】
2014029626.tif 000011
【図１０】
2014029626.tif 000012